(57)【要約】【課題】電気電子機器の安全規格を満たすことができるとともに、安価なハーネスクランプ装置を提供する。【解決手段】フラットハーネス２２などのハーネスを這いまわすハーネス通路２１の両側に、スリット状などの嵌入孔３０・３１を設け、這いまわしたハーネスを固定保持する板金製等のハーネス保持部材２０と、ハーネス通路に配置してハーネス保持部材の板面に沿って這いまわすハーネスと、舌片状などの両端部３３・３４まで全体平面状をなし、マイラー等のＰＥＴフィルムなどを用いてつくった弾性シートで、両側の嵌入孔に両端部を差し込むことにより自身の平面状態を保持しようとする弾性で抜け止めし、ハーネスを横切ってそのハーネスの浮き上がりを押さえるクランプ部材３２とを備える。【選択図】      図５
2006288177.tif 000002
【特許請求の範囲】
【請求項１】
ハーネス通路の両側に嵌入孔を設けるハーネス保持部材と、
前記ハーネス通路に配置して前記ハーネス保持部材の板面に沿って這いまわすハーネスと、
両端部まで全体平面状をなす弾性シートで、前記両側の嵌入孔に前記両端部を差し込むことにより自身の平面状態を保持しようとする弾性で抜け止めし、前記ハーネスを横切ってそのハーネスの浮き上がりを押さえるクランプ部材と、
を備えることを特徴とする、ハーネスクランプ装置。
【請求項２】
前記ハーネスが入り込むように凹ませて前記板面に前記ハーネス通路を設けることを特徴とする、請求項１に記載のハーネスクランプ装置。
【請求項３】
凹ませた前記ハーネス通路を形成する両側の前記板面を傾斜面とし、その傾斜面に前記嵌入孔を設けることを特徴とする、請求項２に記載のハーネスクランプ装置。
【請求項４】
前記嵌入孔の孔縁に、その嵌入孔に前記クランプ部材の端部を差し込むときその端部を前記嵌入孔へと導く傾斜ガイド部を形成することを特徴とする、請求項１ないし３のいずれか１に記載のハーネスクランプ装置。
【請求項５】
前記クランプ部材の、前記嵌入孔に入る部分と入らない部分の境界に、前記ハーネス保持部材の板面に当接する肩部を形成することを特徴とする、請求項１ないし４のいずれか１に記載のハーネスクランプ装置。
【請求項６】
前記嵌入孔に差し込む前記クランプ部材の端部の形状を前記嵌入孔より大きくつくり、前記嵌入孔に前記端部を差し込んだとき前記嵌入孔の孔縁に掛け止める顎部を、前記端部に形成することを特徴とする、請求項１ないし５のいずれか１に記載のハーネスクランプ装置。
【請求項７】
たわませて前記クランプ部材の端部の形状を小さくすることができるスリットを、前記端部に形成することを特徴とする、請求項６に記載のハーネスクランプ装置。
【請求項８】
前記顎部を、前記クランプ部材の端部の片側にのみ形成することを特徴とする、請求項６に記載のハーネスクランプ装置。
【請求項９】
請求項１ないし８のいずれか１に記載のハーネスクランプ装置を備えることを特徴とする、電気電子機器。
【請求項１０】
請求項９に記載の電子電気機器であることを特徴とする、画像形成装置。
【請求項１１】
ハーネス保持部材の板面のハーネス通路に配置して前記板面に沿ってハーネスを這いまわし、
前記ハーネス通路の両側に設ける、前記ハーネス保持部材の嵌入孔に、全体平面状をなす弾性シートであるクランプ部材の両端部を差し込むことにより自身の平面状態を保持しようとする弾性で抜け止めし、
そのクランプ部材で、前記ハーネスを横切ってそのハーネスの浮き上がりを押さえる、
ことを特徴とする、ハーネスクランプ方法。
【発明の詳細な説明】
【技術分野】
【０００１】
この発明は、複写機、プリンタ、ファクシミリまたはそれらの複合機などの画像形成装置に関する。および、そのような画像形成装置を含む電子電気機器に関する。ならびに、そのような電子電気機器において、ハーネスを固定するハーネスクランプ装置、およびハーネスクランプ方法に関する。
【背景技術】
【０００２】
従来、例えば画像形成装置で用いるハーネスクランプ装置としては、クランプ部材を難燃性プラスチック材を用いて可撓性を有する薄板状につくり、そのクランプ部材の基端をハーネス保持部材にねじ止めし、そのクランプ部材の先端で、ハーネス保持部材の板面上を這いまわすハーネスを押さえるものがある。
【０００３】
また、クランプ部材を剛性とばね性を有する金属板や樹脂板などで構成し、そのクランプ部材の両端に係止爪を設けてそれらの係止爪をハーネス保持部材の孔に挿入して孔縁に掛け止めることにより、ハーネス保持部材の板面上を這いまわすハーネスを横切ってクランプ部材で押さえるものがある。
【０００４】
しかしながら、それらのクランプ部材は、板材を用いることから、厚さが厚くなって狭い空間内に配置することが困難であり、例えば近くの高圧回路との間に十分な空隙を確保することができず、電気電子機器の安全規格を満たすことができず、問題となるなどの場合があった。
【０００５】
そこで、従来のハーネスクランプ装置の中には、クランプ部材として厚さの薄いマイラー（デュポン社の登録商標）のような弾性シートを用いるものもある。このようなクランプ部材は、ハーネスを横切って両端部を両面テープやねじを用いてハーネス保持部材に固定し、ハーネスの浮き上がりを押さえていた。
【０００６】
【特許文献１】特開平１１−９７８６２号公報
【特許文献２】特開２０００−３６６７３号公報
【発明の開示】
【発明が解決しようとする課題】
【０００７】
しかしながら、クランプ部材を固定する両面テープは、剥がれやすいことから、電気電子機器の安全規格を満たすことが難しかった。また、ねじ止めも、部品点数が増加してコスト高となる問題があった。
【０００８】
そこで、この発明の第１の目的は、電気電子機器の安全規格を満たすことができるとともに、安価なハーネスクランプ装置を提供することにある。
【０００９】
この発明の第２の目的は、ハーネス保持部材の板面上に配置するハーネスを位置決めするとともに、ハーネス這いまわし部分がハーネス保持部材の板面から高く突出することを防いだハーネスクランプ装置を提供することにある。
【００１０】
この発明の第３の目的は、クランプ部材の両端部を各々差し込む嵌入孔を、クランプ部材をより平面に近い状態で保持し得る向きとするハーネスクランプ装置を提供することにある。
【００１１】
この発明の第４の目的は、クランプ部材の両端部を各々差し込む嵌入孔を、クランプ部材をより平面に近い状態で保持し得る孔縁形状とするハーネスクランプ装置を提供することにある。
【００１２】
この発明の第５の目的は、面状のクランプ部材が面方向に傾いて取り付かないようにし、的確な取り付け位置でハーネスの浮き上がりを確実に押さえるハーネスクランプ装置を提供することにある。
【００１３】
この発明の第６の目的は、クランプ部材の抜け止めをより確実としたハーネスクランプ装置を提供することにある。
【００１４】
この発明の第７の目的は、クランプ部材の抜け止めをより確実とする一方、クランプ部材の取り付け取り外し操作性を向上したハーネスクランプ装置を提供することにある。
【００１５】
この発明の第８の目的は、上記のような目的を有するハーネスクランプ装置を備える電気電子機器を提供することにある。
【００１６】
この発明の第９の目的は、上記のような目的を有するハーネスクランプ装置を備える画像形成装置を提供することにある。
【００１７】
この発明の第１０の目的は、電気電子機器の安全規格を満たすことができるとともに、安価なハーネスクランプ方法を提供することにある。
【課題を解決するための手段】
【００１８】
請求項１に記載の発明は、上述した第１の目的を達成すべく、
ハーネスを固定保持するハーネスクランプ装置において、
ハーネスを這いまわすハーネス通路の両側に、スリット状などの嵌入孔を設け、這いまわしたハーネスを固定保持する板金製や樹脂製などのハーネス保持部材と、
前記ハーネス通路に配置して前記ハーネス保持部材の板面に沿って這いまわす、フラットハーネスなどのハーネスと、
舌片状などの両端部まで全体平面状をなし、マイラー（デュポン社の登録商標）等のＰＥＴフィルムなどを用いてつくった弾性シートで、前記両側の嵌入孔に前記両端部を差し込むことにより自身の平面状態を保持しようとする弾性で抜け止めし、前記ハーネスを横切ってそのハーネスの浮き上がりを押さえるクランプ部材と、
を備えるものである。
嵌入孔は、スリット状に限らず、一直線上に配置した複数の間欠孔でもよく、弾性シートの両端部は、舌片状に限らず、間欠孔に入り込む櫛歯状などとしてもよい。
【００１９】
請求項２に記載の発明は、上述した第２の目的を達成すべく、請求項１に記載のハーネスクランプ装置において、前記ハーネスが入り込むように凹ませて前記板面に前記ハーネス通路を溝状に設けるものである。
【００２０】
請求項３に記載の発明は、上述した第３の目的を達成すべく、請求項２に記載のハーネスクランプ装置において、凹ませた前記ハーネス通路を形成する両側の前記板面を傾斜面とし、その傾斜面に前記嵌入孔を設けるものである。
【００２１】
請求項４に記載の発明は、上述した第４の目的を達成すべく、請求項１ないし３のいずれか１に記載のハーネスクランプ装置において、前記嵌入孔の孔縁に、その嵌入孔に前記クランプ部材の端部を差し込むときその端部を前記嵌入孔へと導く傾斜ガイド部を、絞り加工などで折り曲げることにより形成するものである。
【００２２】
請求項５に記載の発明は、上述した第５の目的を達成すべく、請求項１ないし４のいずれか１に記載のハーネスクランプ装置において、前記クランプ部材の、前記嵌入孔に入る部分と入らない部分の境界に、前記ハーネス保持部材の板面に当接する肩部を形成するものである。
【００２３】
請求項６に記載の発明は、上述した第６の目的を達成すべく、請求項１ないし５のいずれか１に記載のハーネスクランプ装置において、前記嵌入孔に差し込む前記クランプ部材の端部の形状を前記嵌入孔より大きくつくり、前記嵌入孔に前記端部を差し込んだとき前記嵌入孔の孔縁に掛け止める顎部を、前記端部に形成するものである。
【００２４】
請求項７に記載の発明は、上述した第７の目的を達成すべく、請求項６に記載のハーネスクランプ装置において、たわませて前記クランプ部材の端部の形状を小さくすることができるスリットを、前記端部に形成するものである。
【００２５】
請求項８に記載の発明は、上述した第７の目的を達成すべく、請求項６に記載のハーネスクランプ装置において、前記顎部を、前記クランプ部材の端部の片側にのみ形成するものである。
【００２６】
請求項９に記載の発明は、上述した第８の目的を達成すべく、事務用や家庭用などの電気電子機器において、請求項１ないし８のいずれか１に記載のハーネスクランプ装置を備えるものである。
【００２７】
請求項１０に記載の発明は、上述した第９の目的を達成すべく、請求項９に記載の電子電気機器であるところの画像形成装置である。
【００２８】
請求項１１に記載の発明は、上述した第１０の目的を達成すべく、
ハーネスを固定保持するハーネスクランプ方法において、
ハーネスを固定する板金製等のハーネス保持部材の板面のハーネス通路に配置して前記板面に沿ってフラットハーネスなどのハーネスを這いまわし、
前記ハーネス通路の両側に設ける、前記ハーネス保持部材のスリット状などの嵌入孔に、全体平面状をなし、マイラー（デュポン社の登録商標）などを用いてつくった弾性シートであるクランプ部材の、舌片状などの両端部を差し込むことにより自身の平面状態を保持しようとする弾性で抜け止めし、
そのクランプ部材で、前記ハーネスを横切ってそのハーネスの浮き上がりを押さえるものである。
【発明の効果】
【００２９】
請求項１に記載の発明によれば、全体平面状をなすマイラーなどの弾性シートでつくったクランプ部材でハーネスを横切って押さえるので、這いまわすハーネスまわりに十分な余裕がない場合にも、比較的薄いクランプ部材でハーネスを押さえることができ、面状のクランプ部材でハーネスの浮き上がりを広面積で安定的に押さえることができる。また、クランプ部材の両端部を嵌入孔に差し込むことにより押さえるので、クランプ部材の着脱を容易とし、ハーネスクランプ作業を簡単とすることができる。しかも、自身の平面状態を保持しようとする弾性で抜け止めするので、物理的に十分な力で押さえて電気電子機器の安全規格を満たすことができるとともに、構成単純で両面テープやねじ等を不要とし、安価なハーネスクランプ装置を提供することができる。
【００３０】
請求項２に記載の発明によれば、ハーネス保持部材の板面を凹ませてつくったハーネス通路に入り込ませてハーネスを這いまわすので、ハーネス保持部材の板面上に配置するハーネスをハーネス通路で位置決めするとともに、クランプ部材をハーネス通路内に入れてクランプ部材がハーネス保持部材の板面よりも低くし、または仮に突出してもその突出高さを低くし、例えばハーネスまわりに備える高圧回路との間に十分な空隙を確保し、電気電子機器の安全規格を満たしたハーネスクランプ装置を提供することができる。
【００３１】
請求項３に記載の発明によれば、凹ませたハーネス通路を形成する両側の板面を傾斜面とし、その傾斜面に嵌入孔を設けるので、クランプ部材の両端部を嵌入孔に差し込みやすくするとともに、クランプ部材の両端部を各々差し込む嵌入孔を、クランプ部材をより平面に近い状態で保持し得る向きとするハーネスクランプ装置を提供することができる。
【００３２】
請求項４に記載の発明によれば、嵌入孔の孔縁に、その嵌入孔にクランプ部材の端部を差し込むときその端部を嵌入孔へと導く傾斜ガイド部を形成するので、クランプ部材の両端部を嵌入孔に差し込みやすくするとともに、クランプ部材の両端部を各々差し込む嵌入孔を、クランプ部材をより平面に近い状態で保持し得る孔縁形状とするハーネスクランプ装置を提供することができる。
【００３３】
請求項５に記載の発明によれば、クランプ部材の、嵌入孔に入る部分と入らない部分の境界に肩部を形成するので、嵌入孔に端部を差し込んだとき肩部をハーネス保持部材の板面に当接して面状のクランプ部材が面方向に傾いて取り付かないようにし、的確な取り付け位置でハーネスの浮き上がりを確実に押さえるハーネスクランプ装置を提供することができる。
【００３４】
請求項６に記載の発明によれば、嵌入孔に差し込むクランプ部材の端部の形状を嵌入孔より大きくつくり、嵌入孔に端部を差し込んだとき嵌入孔の孔縁に掛け止める顎部を端部に形成するので、嵌入孔の孔縁に顎部を掛け止めてクランプ部材の抜け止めをより確実としたハーネスクランプ装置を提供することができる。
【００３５】
請求項７に記載の発明によれば、たわませてクランプ部材の端部の形状を小さくすることができるスリットを端部に形成するので、クランプ部材の抜け止めをより確実とする一方、スリットを利用してたわませてクランプ部材の端部の形状を小さくし、嵌入孔に対する端部の出し入れを容易としてクランプ部材の取り付け取り外し操作性を向上したハーネスクランプ装置を提供することができる。
【００３６】
請求項８に記載の発明によれば、顎部をクランプ部材の端部の片側にのみ形成するので、クランプ部材の抜け止めをより確実とする一方、面状のクランプ部材を面方向に回動することにより嵌入孔に対する端部の出し入れを可能としてクランプ部材の取り付け取り外し操作性を向上したハーネスクランプ装置を提供することができる。
【００３７】
請求項９に記載の発明によれば、上述した効果を有するハーネスクランプ装置を備える電気電子機器を提供することができる。
【００３８】
請求項１０に記載の発明によれば、上述した効果を有するハーネスクランプ装置を備える画像形成装置を提供することができる。
【００３９】
請求項１１に記載の発明によれば、全体平面状をなすマイラーなどの弾性シートでつくったクランプ部材でハーネスを横切って押さえるので、這いまわすハーネスまわりに十分な余裕がない場合にも、比較的薄いクランプ部材でハーネスを押さえることができ、面状のクランプ部材でハーネスの浮き上がりを広面積で安定的に押さえることができる。また、クランプ部材の両端部を嵌入孔に差し込むことにより押さえるので、クランプ部材の着脱を容易とし、ハーネスクランプ作業を簡単とすることができる。しかも、自身の平面状態を保持しようとする弾性で抜け止めするので、物理的に十分な力で押さえて電気電子機器の安全規格を満たすことができるとともに、両面テープやねじ等を不要とし、安価なハーネスクランプ方法を提供することができる。
【発明を実施するための最良の形態】
【００４０】
以下、図面を参照しつつ、この発明の実施の最良形態につき説明する。
図１には、複写機能、プリンタ機能、ファクシミリ機能を持たせることができる画像形成装置を正面から見て示す。
【００４１】
図中符号１００は、用紙・ＯＨＰフィルム等の記録媒体に画像を記録する画像形成装置本体である。画像形成装置本体１００は、複数の給紙カセット１０を備える給紙テーブル２００上に載置する。給紙テーブル２００は、各給紙カセット１０内に収納する記録媒体を選択的に順次画像形成装置本体１００に供給する。他方、画像形成装置本体１００上には、原稿の画像情報を読み取るスキャナ３００を取り付ける。さらにその上には、スキャナ３００上に向けて原稿を搬送する自動原稿搬送装置（ＡＤＦ）４００を取り付ける。
【００４２】
また、画像形成装置本体１００の右側面には、記録媒体の両面に記録を行うとき、画像形成装置本体１００で片面記録済みの記録媒体を反転して再度画像形成装置本体１００に再給紙する両面装置５００を取り付ける。符号６００は、手差し記録媒体を給紙する手差し給紙装置である。一方、画像形成装置本体の左側面には、画像形成装置本体１００で記録済みの記録媒体に後処理を行うフィニッシャ７００を取り付ける。そして、この画像形成装置では、画像形成装置本体１００とスキャナ３００との間に、画像形成装置本体１００で記録済みの記録媒体を排出する胴内排紙部８００を設ける。
【００４３】
図２には、その画像形成装置本体１００の右後ろを背面側から見て示す。
図示するとおり、画像形成装置本体１００には、背面に縦長なアプリケイションカバー１２を取り付けている。
【００４４】
図３および図４には、画像形成装置にファクシミリ機能を付加すべく画像形成装置本体１００にＦＡＸボードユニットを取り付ける手順を示す。
画像形成装置にファクシミリ機能を付加するときは、まず図３に示すように、１つのねじ１３を外してアプリケイションカバー１２を取り外す。次いで、２つのねじ１４を外してカバープレート１５を取り外してユニット収納空間１６を開放する。その後、図４に示すように、開放したユニット収納空間１６にＦＡＸボードユニット１７を挿入し、２つのねじ１８で固定する。
【００４５】
図５には、ＦＡＸボードユニット１７を示す。
ＦＡＸボードユニット１７には、板金ブラケット製のハーネス保持部材２０を設ける。ハーネス保持部材２０は、矩形状板金材料の挿入側後端辺を直角に曲げてなり、板面をＬ字型に凹ませてハーネス通路２１を幅広の浅溝状に形成する。ハーネス通路２１には、帯状のフラットハーネス２２を入れてハーネス保持部材２０の板面に沿って這いまわす。ハーネス通路２１が直角に曲がる部分では、斜めに折り返してフラットハーネス２２を直角に折り曲げ、ハーネス通路２１に沿わせて配置する。
【００４６】
フラットハーネス２２の両端には、各々コネクタ２３・２４を取り付ける。一方のコネクタ２３は、回路基板２５上のコネクタ２６に接続する。回路基板２５は、４つのねじ２７でハーネス保持部材２０に取り付ける。他方のコネクタ２４は、ハーネス保持部材２０の裏側の不図示のコネクタに接続する。ハーネス通路２１の直角に折れ曲がる部分には、ハーネス通路２１の板面両側に嵌入孔３０・３１をあける。そして、その両側の嵌入孔３０・３１に、それぞれクランプ部材３２の両端部３３・３４を差し込む。
【００４７】
図６には、ハーネス通路２１の直角に折れ曲がる部分を拡大して示す。
嵌入孔３０・３１は、平行で、ともにまっすぐなスリット状をなし、凹ませたハーネス通路２１の底面に内側の嵌入孔３０は短く、外側の嵌入孔３１は長く形成してなる。
【００４８】
図７には、クランプ部材３２の平面形状を示す。
クランプ部材３２は、マイラー（デュポン社の登録商標）等のＰＥＴフィルムなどを用いてつくり、舌片状の両端部３３・３４まで全体平面状をなす弾性シートである。そして、両端部３３・３４を両側の嵌入孔３０・３１に差し込むことにより、自身の平面状態を保持しようとする弾性で抜け止めし、図６に示すようにフラットハーネス２２を横切ってそのフラットハーネス２２の浮き上がりを押さえる。
【００４９】
よって、図示するようなハーネスクランプ装置によれば、全体平面状をなすマイラーなどの弾性シートでつくったクランプ部材３２でフラットハーネス２２を横切って押さえるので、這いまわすフラットハーネス２２まわりに十分な余裕がない場合にも、比較的薄いクランプ部材３２でフラットハーネス２２を押さえることができ、面状のクランプ部材３２でフラットハーネス２２の浮き上がりを広面積で安定的に押さえることができる。
【００５０】
また、クランプ部材３２の両端部３３・３４を嵌入孔３０・３１に差し込むことにより押さえるので、クランプ部材３２の着脱を容易とし、ハーネスクランプ作業を簡単とすることができる。しかも、自身の平面状態を保持しようとする弾性で抜け止めするので、物理的に十分な力で押さえて画像形成装置の安全規格を満たすことができるとともに、構成単純で両面テープやねじ等を不要とし、安価とすることができる。
【００５１】
ところで、図示クランプ部材３２は、図７に示すように、両端部３３・３４の両側、すなわち嵌入孔３０・３１に入る部分と入らない部分の境界に、ハーネス保持部材２０の板面に当接する肩部３３ａ・３３ｂ、３４ａ・３４ｂを形成する。これにより、図６に示すように、クランプ部材３２の両端部３３・３４を嵌入孔３０・３１に差し込んだとき、肩部３３ａ・３３ｂ、３４ａ・３４ｂをハーネス保持部材２０の板面に当接して面状のクランプ部材３２が矢示する面方向に傾いて偏らないようにし、的確な取り付け位置でフラットハーネス２２の浮き上がりを確実に押さえる。
【００５２】
さらに、図示例では、フラットハーネス２２を折り曲げて直角に曲がる部分を押さえるので、１箇所でフラットハーネス２２の浮き上がりを確実に押さえることができる。加えて、ハーネス保持部材２０の板面を凹ませてつくったハーネス通路２１に入り込ませてフラットハーネス２２を這いまわすので、ハーネス保持部材２０の板面上に配置するフラットハーネス２２をハーネス通路２１で位置決めするとともに、クランプ部材３２をハーネス通路２１内に入れてクランプ部材３２がハーネス保持部材２０の板面よりも低くし、または仮に板面より突出してもその突出高さを低くし、例えばフラットハーネス２２まわりに備える高圧回路との間に十分な空隙を確保し、画像形成装置の安全規格を満たすことができる。
【００５３】
図８には、図６を斜めから見て示す。
図６に示すように、凹ませたハーネス通路２１の底面に嵌入孔３０・３１を形成すると、それらの嵌入孔３０・３１は上向きとなるから、それらの嵌入孔３０・３１にクランプ部材３２の両端部３３・３４を差し込むと、両端部３３・３４にクランプ部材３２の中央部を膨らますような曲げモーメントが働き、クランプ部材３２は、図８に示すように湾曲することとなり、フラットハーネス２２の浮き上がりの押えが不十分となる。
【００５４】
図９には、他のハーネスクランプ装置の一部を拡大して示す。
図９に示すハーネスクランプ装置では、凹ませたハーネス通路２１を形成する両側の板面を傾斜面３５・３６とし、それらの傾斜面３５・３６の底面近くに嵌入孔３０・３１を設ける。図１０（Ａ）には、そのＡ‐Ａ断面を示す。
【００５５】
これにより、クランプ部材３２の両端部３３・３４を各々嵌入孔３０・３１に差し込みやすくするとともに、嵌入孔３０・３１を、クランプ部材３２をより平面に近い状態で保持し得る向きとし、両端部３３・３４に働く曲げモーメントを小さくしてクランプ部材３２の中央部の膨らみを少なくし、ハーネス通路２１内のフラットハーネス２２の浮き上がりをしっかりと押さえるようにすることができる。
【００５６】
図１０（Ｂ）には、嵌入孔３０・３１の他例を示す。
この例では、嵌入孔３０・３１の孔縁に傾斜ガイド部３７・３８を形成する。傾斜ガイド部３７・３８は、嵌入孔３０・３１の外側の孔縁を絞り加工により上向き折り曲げ、クランプ部材３２の端部３３・３４を差し込むとき、それらの端部３３・３４を嵌入孔３０・３１に導く。反対に、嵌入孔３０・３１の内側の孔縁を絞り加工により下向き折り曲げ、クランプ部材３２の端部３３・３４を差し込むとき、それらの端部３３・３４を嵌入孔３０・３１に導くようにしてもよい。
【００５７】
これにより、クランプ部材３２の両端部３３・３４を各々嵌入孔３０・３１に差し込みやすくするとともに、嵌入孔３０・３１を、クランプ部材３２をより平面に近い状態で保持し得る孔縁形状とし、両端部３３・３４に働く曲げモーメントを小さくしてクランプ部材３２の中央部の膨らみを少なくし、フラットハーネス２２の浮き上がりをしっかりと押さえるようにすることができる。
【００５８】
さて、上述した例では、クランプ部材３２を図７に示す形状としたが、例えば図１１ないし図１３に示すような形状とすることもできる。なお、図１１ないし図１３では、クランプ部材３２の一方の端部３３のみを図示するが、他方の端部３４も同様に形成するとよい。
【００５９】
図１１（Ａ）に示す例では、嵌入孔３０に差し込むクランプ部材３２の端部３３の形状を嵌入孔３０よりも大きくつくり、嵌入孔３０に端部３３を差し込んだとき嵌入孔３０の孔縁に掛け止める顎部３３ｃを端部３３に形成する。そして、図１１（Ｂ）に示すように、嵌入孔３０に端部３３を差し込んだとき、嵌入孔３０の孔縁に顎部３３ｃを掛け止めてクランプ部材３２の抜け止めをより確実にする。
【００６０】
図１２（Ａ）に示す例では、端部３３に顎部３３ｃを有するクランプ部材３２において、端部３３の中央に端部３３を左右に分割するスリット３３ｄを形成し、両側を内側にたわませてクランプ部材３２の端部３３の形状を小さくすることを可能とする。そして、顎部３３ｃでクランプ部材３２の抜け止めをより確実とする一方、スリット３３ｄを利用してたわませることにより、図１２（Ｂ）に示すようにスリット３３ｄで分割した両側を合わせてクランプ部材３２の端部３３の形状を小さくし、嵌入孔３０に対する端部３３の出し入れを簡単とすることによりクランプ部材３２の取り付け取り外しを容易としてクランプ部材３２の着脱操作性を向上する。
【００６１】
図１３（Ａ）に示す例では、顎部３３ｃをクランプ部材３２の端部３３の片側にのみ形成する。そして、片側の顎部３３ｃでクランプ部材３２の抜け止めをより確実とする一方、図１３（Ｂ）に示すように面状のクランプ部材３２を、図中矢示する面方向に回動することにより嵌入孔３０に対する端部３３の出し入れを可能とし、クランプ部材３２の取り付け取り外しを容易としてクランプ部材３２の着脱操作性を向上する。
【図面の簡単な説明】
【００６２】
【図１】複写機能、プリンタ機能、ファクシミリ機能を持たせることができる画像形成装置を正面図である。
【図２】その画像形成装置本体の右後ろを背面側から見て示す斜視図である。
【図３】その画像形成装置にファクシミリ機能を付加すべく画像形成装置本体のユニット収納空間を開放した状態を示す斜視図である。
【図４】そのユニット収納空間にＦＡＸボードユニットを取り付ける状態を示す斜視図である。
【図５】そのＦＡＸボードユニットの分解斜視図である。
【図６】そのＦＡＸボードユニットに備えるハーネスクランプ装置の拡大平面図である。
【図７】そのハーネスクランプ装置で用いるクランプ部材の平面図である。
【図８】図６の斜視図である。
【図９】他のハーネスクランプ装置の一部拡大平面図である。
【図１０】（Ａ）はそのＡ‐Ａ線断面図、（Ｂ）は嵌入孔の他例を示す同様位置の断面図である。
【図１１】（Ａ）はクランプ部材の他例の部分平面図、（Ｂ）はその端部を嵌入孔に挿入した状態を示す斜視図である。
【図１２】（Ａ）はクランプ部材のさらに他例の部分平面図、（Ｂ）はその端部のスリット両側を重ね合わせた状態を示す図である。
【図１３】（Ａ）はクランプ部材のまたさらに他例の部分平面図、（Ｂ）はクランプ部材を回動してその端部を取り付け取り外す状態を示す斜視図である。
【符号の説明】
【００６３】
２０    ハーネス保持部材
２１    ハーネス通路
２２    フラットハーネス
３０・３１    嵌入孔
３２    クランプ部材
３３・３４    クランプ部材の両端部
３３ａ・３３ｂ    肩部
３４ａ・３４ｂ    肩部
３３ｃ    顎部
３３ｄ    スリット
３５・３６    ハーネス通路の傾斜面
３７・３８    嵌入孔の傾斜ガイド部
【図１】
2006288177.tif 000003
【図２】
2006288177.tif 000004
【図３】
2006288177.tif 000005
【図４】
2006288177.tif 000006
【図５】
2006288177.tif 000007
【図６】
2006288177.tif 000008
【図７】
2006288177.tif 000009
【図８】
2006288177.tif 000010
【図９】
2006288177.tif 000011
【図１０】
2006288177.tif 000012
【図１１】
2006288177.tif 000013
【図１２】
2006288177.tif 000014
【図１３】
2006288177.tif 000015